(57)【要約】【課題】スタンド台紙の前方、後方のいずれにおいても、カレンダー用紙を安定的に保持することができる紙製綴じ具を用いた卓上カレンダーを提供する。【解決手段】側縁部３１と、この側縁部３１の長手方向に所定の間隔をおいて多数並列するように形成されたリング状部とによって構成される紙製綴じ具３０によって、カレンダー用紙１１の束とスタンド台紙（表側スタンド台紙１３及び裏側スタンド台紙１４）とを綴じてなるものであって、紙製綴じ具３０の側縁部３１とリング状部の先端部との接着部分が、スタンド台紙の表側部１６と裏側部１８との間に挟まれた状態で、スタンド台紙が自立可能な状態となるように構成した。【選択図】図５
0003197615.tif 000002
【実用新案登録請求の範囲】
【請求項１】
側縁部と、この側縁部の長手方向に所定の間隔をおいて多数並列するように形成されたリング状部とによって構成される紙製綴じ具によって、カレンダー用紙の束とスタンド台紙とを綴じてなる卓上カレンダーにおいて、
紙製綴じ具の側縁部とリング状部の先端部との接着部分が、スタンド台紙の表側部と裏側部との間に挟まれた状態で、スタンド台紙が自立するように構成されていることを特徴とする紙製綴じ具を用いた卓上カレンダー。
【請求項２】
スタンド台紙が、表側スタンド台紙と裏側スタンド台紙とによって構成され、
表側スタンド台紙、カレンダー用紙の束、及び、裏側スタンド台紙の各綴じ穴に、その順番或いはその逆の順番で、紙製綴じ具のリング状部を通し、当該リング状部の先端部と側縁部とを突き合わせて接着し、カレンダー用紙の束とスタンド台紙とを綴じたことを特徴とする、請求項１に記載の紙製綴じ具を用いた卓上カレンダー。
【請求項３】
表側スタンド台紙が、上縁付近に綴じ穴が開設された表側部と、表側部の下縁に接続された第一底部とによって構成され、
裏側スタンド台紙が、上縁付近に綴じ穴が開設された裏側部と、裏側部の下縁に接続された第二底部とによって構成され、
第一底部又は第二底部のいずれか一方の下端に連結用フラップが形成されるとともに、他方に、連結用フラップに対応した大きさの連結用溝が形成され、
連結用フラップを連結用溝内に差し込むことにより、第一底部と第二底部とが連結されて、スタンド台紙の底部が形成され、スタンド台紙が自立可能な状態となるように構成されていることを特徴とする、請求項２に記載の紙製綴じ具を用いた卓上カレンダー。
【考案の詳細な説明】
【技術分野】
【０００１】
本考案は、卓上カレンダーに関し、特に、紙製綴じ具を用いてカレンダー用紙と台紙とを綴じた卓上カレンダーに関する。
【背景技術】
【０００２】
複数枚の紙葉を綴じるための手段として、従来は金属製の綴じ具（螺旋ワイヤーやダブルリング綴じ具等）が主流であったが、最近では、廃棄時に分別作業が不要な紙製の綴じ具が普及してきている。図６は、紙製綴じ具３０の一例を示す図である。この紙製綴じ具３０は、二枚の厚紙を接着剤で貼り付けてなる帯状の基材を裁断して、側縁部３１と、櫛歯状部（側縁部３１から、その長手方向と直交する方向に櫛歯状に突出する部分）とからなる形状に加工し、更に、プレス加工により、櫛歯状部を側縁部３１の長手方向と平行な中心軸線周りにリング状に湾曲させて、多数のリング状部３２を（側縁部３１の長手方向に所定の間隔をおいて並列するように）形成してなるものである。
【０００３】
図６に示す紙製綴じ具３０を用いて卓上カレンダー２１を製造する場合、例えば図７（１）に示すように、カレンダー用紙４１の束と、厚紙製のスタンド台紙４２とを重ねて位置を揃え、それらの綴じ穴４１ａ，４２ａ内に、紙製綴じ具３０のリング状部３２を通し、次に、図７（２）に示すように、リング状部３２の先端部と、側縁部３１とを突き合わせて接着する。
【０００４】
尚、図７の例では、スタンド台紙４２として、長方形の厚紙製基材の両端部（長手方向の両端部）を立ち上げるようにしてコの字状に折り曲げ、一方を表側部４３、他方を裏側部４４とし、それらの中間の部分（底部４５）を二つ折りにして表側部４３と裏側部４４の間にたたみ込み、表側部４３と裏側部４４を重ね合わせてなるものが用いられている。
【０００５】
図７に示した卓上カレンダー２１を使用する場合、図８（１）に示すように、スタンド台紙４２の表側部４３と裏側部４４の下方側を拡げ、底部４５を伸ばして全体が三角形状となるようにし、紙製綴じ具３０を回転させて、側縁部３１等（側縁部３１とリング状部３２との接着部分）を、スタンド台紙４２の綴じ穴４２ａの近傍の位置まで移動させ、図８（２）に示すように、カレンダー用紙４１の束を表側部４３の前方の位置まで移動させる。そして、月が変わる度に、カレンダー用紙を１枚ずつめくり、スタンド台紙４２の裏側部４４側へ移動させていく。
【先行技術文献】
【特許文献】
【０００６】
【特許文献１】特開２０１３−０４３３６０号公報
【特許文献２】特開２０１２−２２３９４３号公報
【特許文献３】特開２０１０−１３７４８４号公報
【特許文献４】特開２０１０−０４２６３５号公報
【特許文献５】特開平１１−１７０７３３号公報
【考案の概要】
【考案が解決しようとする課題】
【０００７】
図７及び図８に示したような従来の卓上カレンダー２１においては、カレンダー用紙４１とスタンド台紙４２との間に、紙製綴じ具３０の側縁部３１等が介在しているため、カレンダー用紙４１が、図８（２）に示すように、スタンド台紙４２の表側部４３の前方に浮いた状態となってしまい、不安定で、見栄えが悪い状態になってしまうという問題がある。
【０００８】
尚この問題は、紙製綴じ具３０の側縁部３１等の位置を、スタンド台紙４２の裏側部４４側へ変更する（図８（１）において、左側がスタンド台紙４２の裏側部４４、右側がスタンド台紙４２の表側部４３となるようにする）ことによって解決できるようにも思えるが、この場合、月の経過に伴ってスタンド台紙４２の裏側へ捲られたカレンダー用紙４１（過去の月を表示するカレンダー用紙４１）が、スタンド台紙４２の後方へ浮いた状態となってしまい、結局、不安定で、見栄えが悪い状態となってしまう。
【０００９】
本考案は、このような従来技術における問題を解決しようとするものであって、スタンド台紙の前方、後方のいずれにおいても、カレンダー用紙を安定的に保持することができる紙製綴じ具を用いた卓上カレンダーを提供することを目的とする。
【課題を解決するための手段】
【００１０】
本考案に係る紙製綴じ具を用いた卓上カレンダーは、側縁部と、この側縁部の長手方向に所定の間隔をおいて多数並列するように形成されたリング状部とによって構成される紙製綴じ具によって、カレンダー用紙の束とスタンド台紙とを綴じてなるものであって、紙製綴じ具の側縁部とリング状部の先端部との接着部分が、スタンド台紙の表側部と裏側部との間に挟まれた状態で、スタンド台紙が自立するように構成されていることを特徴としている。
【００１１】
尚、スタンド台紙は、表側スタンド台紙と裏側スタンド台紙とによって構成されることが好ましく、表側スタンド台紙、カレンダー用紙の束、及び、裏側スタンド台紙の各綴じ穴に、その順番或いはその逆の順番で、紙製綴じ具のリング状部を通し、当該リング状部の先端部と側縁部とを突き合わせて接着し、カレンダー用紙の束とスタンド台紙とを綴じるように構成することが好ましい。
【００１２】
また、表側スタンド台紙が、上縁付近に綴じ穴が開設された表側部と、表側部の下縁に接続された第一底部とによって構成され、裏側スタンド台紙が、上縁付近に綴じ穴が開設された裏側部と、裏側部の下縁に接続された第二底部とによって構成され、第一底部又は第二底部のいずれか一方の下端に連結用フラップが形成されるとともに、他方に、連結用フラップに対応した大きさの連結用溝が形成され、連結用フラップを連結用溝内に差し込むことにより、第一底部と第二底部とが連結されて、スタンド台紙の底部が形成され、スタンド台紙が自立可能な状態となるように構成することが好ましい。
【考案の効果】
【００１３】
本考案の紙製綴じ具を用いた卓上カレンダーにおいては、カレンダー用紙が、紙製綴じ具の側縁部とリング状部との接着部分に邪魔されることなく、スタンド台紙の前方において安定的に保持され、また、カレンダー用紙をスタンド台紙の後方側へ移動させた場合においても安定的に保持されることになり、従来の卓上カレンダーのように、カレンダー用紙がスタンド台紙の表側部の前方に浮いてしまい、不安定で、見栄えが悪い状態になってしまうという問題を好適に回避することができる。
【図面の簡単な説明】
【００１４】
【図１】図１は、本考案に係る卓上カレンダー１の製造方法の説明図である。
【図２】図２（１）は、図１に示す表側スタンド台紙１３の展開図、図２（２）は、図１に示す裏側スタンド台紙１４の展開図である。
【図３】図３は、本考案に係る卓上カレンダー１の組み立て方法の説明図である。
【図４】図４は、本考案に係る卓上カレンダー１の組み立て方法の説明図である。
【図５】図５は、本考案に係る卓上カレンダー１の組み立て完成状態を示す図である。
【図６】図６は、紙製綴じ具３０の一例を示す図である。
【図７】図７は、従来の卓上カレンダー２１の製造方法の説明図である。
【図８】図８は、従来の卓上カレンダー２１の組み立て方法の説明図である。
【考案を実施するための形態】
【００１５】
以下、添付図面に沿って本考案「紙製綴じ具を用いた卓上カレンダー」の実施形態について説明する。図１は、本考案に係る卓上カレンダー１の製造方法の説明図であり、図示されているように、この卓上カレンダー１は、紙製綴じ具３０と、カレンダー用紙１１の束と、厚紙製の表側スタンド台紙１３及び裏側スタンド台紙１４とによって構成されている。
【００１６】
尚、紙製綴じ具３０は、側縁部３１と、この側縁部３１の長手方向に所定の間隔をおいて多数並列するように形成されたリング状部３２とによって構成されている。また、表側スタンド台紙１３と裏側スタンド台紙１４は、連結されることによってスタンド台紙を構成するものである。
【００１７】
この卓上カレンダー１を製造する場合、例えば図１（１）に示すように、表側スタンド台紙１３と、カレンダー用紙１１の束と、裏側スタンド台紙１４とを、その順番或いはその逆の順番で（カレンダー用紙１１の束を、表側スタンド台紙１３と裏側スタンド台紙１４との間に挟むようにして）重ねて位置を揃え、それらの綴じ穴１３ａ，１１ａ，１４ａ内に、紙製綴じ具３０のリング状部３２を通し、次に、図１（２）に示すように、リング状部３２の先端部と、側縁部３１とを突き合わせて接着する。本実施形態に係る卓上カレンダー１は、このようにしてカレンダー用紙１１の束とスタンド台紙（表側スタンド台紙１３及び裏側スタンド台紙１４）とを紙製綴じ具３０によって綴じることによって製造される。
【００１８】
尚、本実施形態における表側スタンド台紙１３は、図２（１）に示すように、上縁付近に綴じ穴１３ａが開設された表側部１６と、表側部１６の下縁に接続された第一底部１７とによって構成されており、裏側スタンド台紙１４は、図２（２）に示すように、上縁付近に綴じ穴１４ａが開設された裏側部１８と、裏側部１８の下縁に接続された第二底部１９とによって構成されている。
【００１９】
第一底部１７の下端には、図２（１）に示すように、連結用フラップ１７ａが形成されている。この連結用フラップ１７ａは、基端部側から先端部側にかけて次第に幅が狭くなる形状（先細り形状）となっており、また、基端部両側には、抜け止め用の係止溝１７ｂが形成されている。第二底部１９には、図２（２）に示すように、第一底部１７の連結用フラップ１７ａに対応した大きさの連結用溝１９ａが形成されている。
【００２０】
第一底部１７及び第二底部１９は、製造時及び出荷時においては、図１に示すように、それぞれ表側部１６、裏側部１８との境界線において外向き（表側部１６及び裏側部１８に挟まれているカレンダー用紙１１側とは反対の側）に折り返された状態となっている。
【００２１】
図１に示した卓上カレンダー１を使用する場合、図３に示すように、表側スタンド台紙１３と裏側スタンド台紙１４とを、紙製綴じ具３０を中心として相反する方向へそれぞれ回転させ、紙製綴じ具３０の側縁部３１等（側縁部３１とリング状部３２の先端部との接着部分）を間に挟み込む位置まで移動させる。次に、第一底部１７及び第二底部１９を開いて、先端同士を突き合わせた状態とし、図４（１）（２）に示すように、第一底部１７の連結用フラップ１７ａを第二底部１９の連結用溝１９ａ内に差し込むことにより、第一底部１７と第二底部１９とを連結して、スタンド台紙の底部を形成する。そして、カレンダー用紙１１を表側スタンド台紙１３の前方側の位置まで回転移動させる。
【００２２】
そうすると、図５に示すように、紙製綴じ具３０の側縁部３１等が、スタンド台紙の表側部１６と裏側部１８との間に挟まれた状態で、スタンド台紙（表側スタンド台紙１３及び裏側スタンド台紙１４）が自立可能な状態となり、カレンダー用紙１１が、紙製綴じ具３０の側縁部３１等に邪魔されることなく、表側スタンド台紙１３の前方において安定的に保持され、また、カレンダー用紙１１を裏側スタンド台紙１４の後方側へ移動させた場合においても安定的に保持されることになり、図８（２）に示した従来の卓上カレンダー２１のように、カレンダー用紙４１がスタンド台紙４２の表側部４３の前方に浮いてしまい、不安定で、見栄えが悪い状態になってしまうという問題を好適に回避することができる。
【００２３】
尚、ここでは、図１（２）示すような状態（カレンダー用紙１１の束を、表側スタンド台紙１３と裏側スタンド台紙１４との間に挟むように重ねて、紙製綴じ具３０のリング状部３２の先端部と側縁部３１とを接着した状態）で出荷され、エンドユーザーにおいて、図３〜図５に示すような方法で組み立てて使用される卓上カレンダー１の例について説明したが、製造工程において、予め図５に示す状態まで組み立てられ、この状態から底部（第一底部１７及び第二底部１９を連結して形成される部分）を内側へ二つ折りにし、表側部１６と裏側部１８の間にたたみ込み、表側部１６と裏側部１８とを重ね合わせた状態で出荷され、エンドユーザーにおいて、図５に示す状態に復元して使用されるようにしても良い。
【００２４】
この場合、第一底部１７と第二底部１９との連結は、必ずしも第一底部１７の連結用フラップ１７ａを第二底部１９の連結用溝１９ａ内に差し込むことによって行われる必要はなく、他の連結構造（例えば、第一底部１７と第二底部１９との重合部分が接着剤によって接着される構造等）を採用してもよい。
【符号の説明】
【００２５】
１：卓上カレンダー、
１１：カレンダー用紙、
１１ａ：綴じ穴、
１３：表側スタンド台紙、
１３ａ：綴じ穴、
１４：裏側スタンド台紙、
１４ａ：綴じ穴、
１６：表側部、
１７：第一底部、
１７ａ：連結用フラップ、
１７ｂ：係止溝、
１８：裏側部、
１９：第二底部、
１９ａ：連結用溝、
２１：卓上カレンダー、
３０：紙製綴じ具、
３１：側縁部、
３２：リング状部、
４１：カレンダー用紙、
４１ａ：綴じ穴、
４２：スタンド台紙、
４２ａ：綴じ穴、
４３：表側部、
４４：裏側部、
４５：底部
【図１】
0003197615.tif 000003
【図２】
0003197615.tif 000004
【図３】
0003197615.tif 000005
【図４】
0003197615.tif 000006
【図５】
0003197615.tif 000007
【図６】
0003197615.tif 000008
【図７】
0003197615.tif 000009
【図８】
0003197615.tif 000010